(57)【要約】【課題】インピーダンスの付加を安価に実現し、アドレスドライブ基板の作業工程削減／ＴＣＰ（ＣＯＦ）化を可能とし、設計・製造・設備の変更を最小限にして経済的に優位なアドレスドライブシステムを有するプラズマディスプレイ装置を提供する。【解決手段】表示パネルのアドレス電極を駆動するためのアドレスドライブシステムにおいて、アドレスドライブ基板１０−アドレスバス基板２０にＶＣＣ用ＧＮＤを新設し、ＧＮＤを２系統化（ＶＣＣ用／ＶＨ用）する。さらに、ＶＣＣ用ＧＮＤにおいて、アドレスバス基板２０に搭載のＶＣＣ用ＧＮＤ接続ポイントからＧＮＤが統合するポイントのＧＮＤライン上にインピーダンスを付加する。このインピーダンスは、ＶＣＣ電源平滑コンデンサのＶＣＣ用ＧＮＤ接続ポイントのアドレスドライブ基板１０側の寄生インダクタンスによるインピーダンスより大きいものとする。【選択図】図２
2008032946.tif 000002
【特許請求の範囲】
【請求項１】
表示データを表示パネルに供給するデータドライバ回路を搭載する複数のドライブ基板と、
前記複数のドライブ基板に表示データを分配・供給する信号供給基板とを有し、
前記ドライブ基板に搭載の前記データドライバ回路の低圧信号処理部の電源平滑コンデンサを前記信号供給基板に搭載し、低圧電源用の電源ラインとそのリターンのＧＮＤラインにより寄生インピーダンスを発生する構成において、
前記ドライブ基板と前記信号供給基板とを接続するＧＮＤラインは、前記低圧電源用の第１のＧＮＤラインと前記表示パネルに供給する高圧電源用の第２のＧＮＤラインとの２系統を備え、
前記２系統の第１と第２のＧＮＤラインは、前記ドライブ基板の前記データドライバ回路の直近で分離され、前記信号供給基板側では、前記表示パネルの動作基準となる基準ＧＮＤ部に接続する場所の直近で合流する構成とし、
前記第１のＧＮＤラインにおいて、前記電源平滑コンデンサの接続点から前記第２のＧＮＤラインと合流する点の間にインピーダンスを付加することを特徴とするプラズマディスプレイ装置。
【請求項２】
請求項１記載のプラズマディスプレイ装置において、
前記第１のＧＮＤラインのインピーダンス成分量は、前記第２のＧＮＤラインのインピーダンス成分量より大きいことを特徴とするプラズマディスプレイ装置。
【請求項３】
請求項２記載のプラズマディスプレイ装置において、
前記第１のＧＮＤラインの前記電源平滑コンデンサの接続点から前記第２のＧＮＤラインと合流する点の間のインピーダンス成分量は、前記第２のＧＮＤラインの前記信号供給基板でのインピーダンス成分量より大きいことを特徴とするプラズマディスプレイ装置。
【請求項４】
請求項２記載のプラズマディスプレイ装置において、
前記第１のＧＮＤラインの前記電源平滑コンデンサの接続点から前記第２のＧＮＤラインと合流する点の間のインピーダンス成分量は、前記第１のＧＮＤラインにおける前記ドライブ基板の前記データドライバ回路の直近で分離された点から、前記信号供給基板側の前記電源平滑コンデンサの接続点までのインピーダンス成分量と同等以上であることを特徴とするプラズマディスプレイ装置。
【請求項５】
請求項２記載のプラズマディスプレイ装置において、
前記第１のＧＮＤラインの前記電源平滑コンデンサの接続点から前記第２のＧＮＤラインと合流する点の間のインピーダンス成分量は、前記第２のＧＮＤラインの前記信号供給基板でのインピーダンス成分量より大きく、かつ、前記第１のＧＮＤラインにおける前記ドライブ基板の前記データドライバ回路の直近で分離された点から、前記信号供給基板側の前記電源平滑コンデンサの接続点までのインピーダンス成分量と同等以上であることを特徴とするプラズマディスプレイ装置。
【請求項６】
請求項２記載のプラズマディスプレイ装置において、
前記ドライブ基板内での前記第１のＧＮＤラインのインピーダンスは、基板パターンを用いた寄生素子により大きくすることを特徴とするプラズマディスプレイ装置。
【請求項７】
請求項２記載のプラズマディスプレイ装置において、
前記信号供給基板内での前記第１のＧＮＤラインの前記電源平滑コンデンサの接続点から前記第２のＧＮＤラインと合流する点の間のインピーダンスは、基板パターンを用いた寄生素子とすることを特徴とするプラズマディスプレイ装置。
【請求項８】
請求項２記載のプラズマディスプレイ装置において、
前記信号供給基板内での前記第１のＧＮＤラインの前記電源平滑コンデンサの接続点から前記第２のＧＮＤラインと合流する点の間のインピーダンスは、抵抗またはインダクタンスの回路素子とすることを特徴とするプラズマディスプレイ装置。
【請求項９】
請求項１記載のプラズマディスプレイ装置において、
前記ドライブ基板はフレキシブル基板とし、
前記信号供給基板はリジッド基板とすることを特徴とするプラズマディスプレイ装置。
【請求項１０】
請求項９記載のプラズマディスプレイ装置において、
前記フレキシブル基板に搭載するデータドライバ回路は、ＴＣＰタイプまたはＣＯＦタイプで実装されることを特徴とするプラズマディスプレイ装置。
【発明の詳細な説明】
【技術分野】
【０００１】
本発明は、プラズマディスプレイ装置の技術に関し、特に、その表示パネルのアドレス電極を駆動するためのアドレスドライブシステムの回路構成に適用して有効な技術に関する。
【背景技術】
【０００２】
最近のプラズマディスプレイ装置の開発、実用化の進歩は目覚しいものがあり、特に３電極型面放電構造を有するＡＣ型ＰＤＰ（Ｐｌａｓｍａ  Ｄｉｓｐｌａｙ  Ｐａｎｅｌ）は、大画面化、カラー化が容易であることから、大型テレビ等の用途で実用化、応用化が進んでいる。
【０００３】
このような３電極型面放電構造のＡＣ型ＰＤＰは、前面ガラス基板と背面ガラス基板の２枚のガラス基板によって構成されており、前面ガラス基板には、維持電極のＢＵＳ電極と透明電極とで構成されるＸ電極、およびＹ電極（走査電極）を備えている。また、背面ガラス基板には、維持電極と直交する形でアドレス電極が配置されており、これらの電極により放電発光を発生する表示セルが、各維持電極で挟まれた領域のアドレス電極と交差している領域により形成されている。
【０００４】
この３電極型面放電構造のＡＣ型ＰＤＰに対する駆動回路は、外部より入力されるインターフェイス信号によりパネルの駆動回路を制御するための制御信号を形成する制御回路と、この制御信号によりパネル電極を駆動するためのＸ電極駆動回路、走査電極駆動回路およびアドレス電極駆動回路より構成されている。この回路構成において、走査側ドライバ回路およびアドレス側ドライバ回路部に対しては、各電極対応に選択的に駆動パルスを印加するための回路が必要であり、一般的にＩＣ化された素子を主要回路部品として使用している。
【０００５】
例えば、アドレス側ドライバ回路部は、表示データを表示パネルに供給するアドレスドライバ回路を搭載する複数のアドレスドライブ基板と、これらの複数のアドレスドライブ基板に表示データを分配・供給するアドレスバス基板とを有する構成において、アドレス放電経路のＧＮＤラインの寄生インダクタンスを抑圧するための技術としては、（１）ＧＮＤラインを強化する方法と、（２）ＧＮＤラインを短くする方法がある。
【０００６】
（１）ＧＮＤラインを強化する方法には、（ａ）アドレスドライブ基板とアドレスバス基板間のコネクタピン数を増加する、（ｂ）アドレスバス基板を多層基板で構成するなどの方法がある。
【０００７】
（２）ＧＮＤラインを短くする方法には、（ａ）アドレスドライブ基板とアドレスバス基板を熱圧着接続とし、コネクタなどの寄生インピーダンスを低減する、（ｂ）アドレスドライブ基板上のドライブＩＣを極力アドレスバス基板に近づける配置とするなどの方法がある。
【発明の開示】
【発明が解決しようとする課題】
【０００８】
ところで、前記のような（１）ＧＮＤラインを強化する方法、（２）ＧＮＤラインを短くする方法では、本発明者の検討によれば以下のような課題があることが分かった。
【０００９】
（１）ＧＮＤラインを強化する方法では、部材コストが増加し、経済的に不利である。
【００１０】
（２）ＧＮＤラインを短くする方法では、アドレスドライブ基板の入出力接続双方（アドレスバス基板、表示パネル）とも熱圧着接続となるために、製造方法・設備に多大な検討時間と投資が必要になり、経済的に不利である。また、ＩＣ配置の制約が障害になり、アドレスドライブ基板単位当たりのＩＣ搭載数が減少し、アドレスドライブ基板数が増加するために、組み立て作業工数が増加し、経済的に不利である。
【００１１】
そこで、本発明の目的は、前述の課題を解決し、インピーダンスの付加を安価に実現し、アドレスドライブ基板の作業工程削減／ＴＣＰ（ＣＯＦ）化を可能とし、設計・製造・設備の変更を最小限にして経済的に優位なアドレスドライブシステムを有するプラズマディスプレイ装置を提供することにある。
【００１２】
本発明の前記ならびにその他の目的と新規な特徴は、本明細書の記述および添付図面から明らかになるであろう。
【課題を解決するための手段】
【００１３】
本願において開示される発明のうち、代表的なものの概要を簡単に説明すれば、次のとおりである。
【００１４】
本発明では、表示パネルのアドレス電極を駆動するためのアドレスドライブシステムにおいて、アドレスドライブ基板−アドレスバス基板に低圧電源用ＧＮＤを新設し、ＧＮＤを２系統化（低圧電源用／高圧電源用）する。さらに、低圧電源用ＧＮＤにおいて、アドレスバス基板搭載の低圧電源用ＧＮＤ接続ポイントからＧＮＤが統合するポイントのＧＮＤライン上にインピーダンスを付加する。このインピーダンスは、低圧電源平滑コンデンサの低圧電源用ＧＮＤ接続ポイントのアドレスドライブ基板側の寄生インダクタンスによるインピーダンスより大きいものとする。
【発明の効果】
【００１５】
本願において開示される発明のうち、代表的なものによって得られる効果を簡単に説明すれば以下のとおりである。
【００１６】
本発明によれば、低コスト化を実現することができるアドレスドライブシステムを有するプラズマディスプレイ装置を提供することが可能となる。
【発明を実施するための最良の形態】
【００１７】
以下、本発明の実施の形態を図面に基づいて詳細に説明する。なお、実施の形態を説明するための全図において、同一の部材には原則として同一の符号を付し、その繰り返しの説明は省略する。
【００１８】
＜プラズマディスプレイ装置＞
図１は、本発明の一実施の形態におけるプラズマディスプレイ装置の表示パネルの電極及び表示パネルを表示動作させるための駆動用回路における主要部構成を示すブロック図である。
【００１９】
図１に示すように、表示パネルに対する駆動用回路においては、表示パネルの前面ガラス基板１０１や背面ガラス基板１０２に対して、制御回路１１５、Ｘ電極駆動回路、Ｙ電極駆動回路、アドレス電極駆動回路などの各駆動回路（ドライバ）を有する構成である。前面ガラス基板１０１には、Ｘ電極（ｘ１、ｘ２、…、ｘｎ）及びＹ電極（ｙ１、ｙ２、…、ｙｎ）を複数本備えている。背面ガラス基板１０２には、アドレス電極（ａ１、ａ２、…、ａｍ）を複数本備えている。
【００２０】
本例では、特に、制御回路１１５は、フレームメモリ１１９を備える表示データ制御部１１６と、ドライバ制御部とを有する。ドライバ制御部は、走査ドライバ制御部１１７と、共通ドライバ制御部１１８とを有する。またドライバとして、アドレスドライバ回路１１１、Ｘ共通ドライバ回路１１４、走査ドライバ回路１１２、Ｙ共通ドライバ回路１１３を有する。
【００２１】
制御回路１１５は、外部より入力されるインターフェイス信号｛ＣＬＫ（クロック），Ｄ（データ），Ｖｓｙｎｃ（垂直同期），Ｈｓｙｎｃ（水平同期）｝により表示パネルの各ドライバを制御するための制御信号を形成し、各ドライバを制御する。表示データ制御部１１６から、フレームメモリ１１９に蓄積されるデータ信号をもとに、アドレスドライバ回路１１１を制御し、また走査ドライバ制御部１１７から走査ドライバ回路１１２を制御する。また、共通ドライバ制御部１１８から、Ｘ共通ドライバ回路１１４及びＹ共通ドライバ回路１１３を制御する。
【００２２】
各ドライバは、制御回路１１５からの制御信号に従って電極を駆動する。表示パネルの表示画面において、アドレスドライバ回路１１１と走査ドライバ回路１１２からの駆動により、表示セル１０３を決定するためのアドレス放電が行われ、次いでＸ共通ドライバ回路１１４とＹ共通ドライバ回路１１３からの駆動により、表示セル１０３を発光するためのサステイン放電が行われる。
【００２３】
本実施の形態においては、アドレスドライバ回路１１１を含むアドレスドライブシステムの部分に特徴があり、以下において、本発明に対する比較のための第１の構成（図３：低圧信号処理部用の電源平滑コンデンサをドライブ基板に搭載）、本発明に対する比較のための第２の構成（図４：低圧信号処理部用の電源平滑コンデンサを信号供給基板に搭載）、本発明の一実施の形態の構成（図２）を順に示し、詳細には本発明の一実施の形態の構成で説明する。
【００２４】
＜本発明に対する比較のための第１の構成＞
図３は、本発明に対する比較のための第１の構成として、低圧信号処理部用の電源平滑コンデンサをアドレスドライブ基板に搭載した場合のアドレスドライブシステムを示す説明図である。
【００２５】
図３において、アドレスドライブシステムは、表示データを表示パネルに供給するデータドライバ回路であるアドレスドライバ回路を搭載する複数（図では１枚のみ図示）のドライブ基板であるアドレスドライブ基板１０ａと、複数のアドレスドライブ基板１０ａに表示データを分配・供給する信号供給基板であるアドレスバス基板２０ａとを有し、外部の高圧電源（ＶＨ）、低圧電源（ＶＣＣ）、表示パネルのアドレス電極（Ａ）に接続されて構成される。
【００２６】
アドレスドライブ基板１０ａは、フレキシブル基板からなり、このフレキシブル基板上に、アドレスドライバ回路１１と、このアドレスドライバ回路１１の低圧信号処理部用の電源平滑コンデンサＣ１が搭載されている。
【００２７】
アドレスバス基板２０ａは、リジッド基板からなり、このリジッド基板上に、表示データのデータ発生源２１と、このデータ発生源２１からの表示データを伝送する緩衝器２２と、ＶＣＣ用の電源平滑コンデンサＣ２と、ＶＨ用の電源平滑コンデンサＣ３が搭載されている。
【００２８】
この第１の構成では、アドレスドライブ基板１０ａの原価低減などの推進によるＴＣＰ（ＣＯＦ）化に対応できないという課題がある。すなわち、原価低減のためには作業工程を削減することなどが考えられるが、そのためにはＴＣＰ（ＣＯＦ）化は重要となる。このアドレスドライブ基板１０ａのＴＣＰ（ＣＯＦ）化のためには、電源平滑コンデンサＣ１などのはんだ付け部品の搭載が不可能となるため、これをアドレスドライブ基板１０ａからアドレスバス基板２０ａに移設すること、すなわち次に説明する第２の構成が考えられる。
【００２９】
なお、ＴＣＰ（ＣＯＦ）化とは、一般的に普及してきたワイヤボンディング方式に置き変えて、より高密度実装が可能でしかも生産性の向上が期待できるギャングボンディング方式による実装構造のことである。このギャングボンディング方式では、リール搬送方式によりテープ状に形成されたフレキシブル基板に対してドライブＩＣのＩＣチップが複数個連続的に実装されており、外形抜きにより１個のドライブＩＣを搭載した個々のモジュールに分離される。
【００３０】
このギャングボンディング方式の実装形態として大きく２つの方式があり、一つはＣＯＦ（Ｃｈｉｐ  Ｏｎ  Ｆｉｌｍ）タイプの実装形態であり、ＩＣチップの端子に金バンプが付けられ、その金バンプ付きの端子とフレキシブル基板上の錫メッキ付きの端子に対して熱圧着させることにより、金・錫の共晶合金接合を形成するようにして端子間の接続を行ったものである。端子間の接続後には、ＩＣチップとフレキシブル基板との隙間に対してアンダーフィルと称する封止樹脂を充填し、乾燥させて作業を完了する。
【００３１】
もう一つは、ＴＣＰ（Ｔａｐｅ  Ｃａｒｒｉｅｒ  Ｐａｃｋａｇｅ）タイプの実装形態であり、ＩＣチップの端子に同じく金バンプが付けられており、これに対してフレキシブル基板側にはデバイスホールと称する穴が設けられ、この穴内に接続用の端子がフィンガーリードとして突き出ている。フィンガーリードには錫メッキが施されており、同じく熱圧着による金・錫共晶合金接合によりＩＣチップの実装接続を行った後、デバイスホール部のＩＣチップの実装面に保護用の封止樹脂を塗付し、乾燥させて接続部の保護を行っている。
【００３２】
このＴＣＰタイプの特徴は、上述のようにデバイスホール部の端子にＩＣチップ側の端子を接続させる構成であるため、ＩＣチップはフレキシブル基板の向きに対して任意の方向で実装することが可能であることである。また、ＣＯＦタイプではフレキシブル基板に対するＩＣチップの実装方向は自ずと決まってしまうのに対して、ＴＣＰタイプではＣＯＦタイプとは逆向きでの実装が可能である。
【００３３】
本実施の形態のアドレスドライブシステムにおいては、ＴＣＰ（ＣＯＦ）化として、ＴＣＰタイプの実装形態に最適であるが、もちろんＣＯＦタイプの実装形態にも適用することができる。
【００３４】
＜本発明に対する比較のための第２の構成＞
図４は、本発明に対する比較のための第２の構成として、低圧信号処理部用の電源平滑コンデンサをアドレスバス基板に搭載した場合のアドレスドライブシステムを示す説明図である。
【００３５】
図４において、アドレスドライブシステムは、前記第１の構成と同様に、複数（図では１枚のみ図示）のアドレスドライブ基板１０ｂと、アドレスバス基板２０ｂとを有して構成される。異なる点は、アドレスドライブ基板１０ｂにはアドレスドライバ回路１１のみを搭載し、アドレスバス基板２０ｂには、データ発生源２１、緩衝器２２、ＶＣＣ用の電源平滑コンデンサＣ２、ＶＨ用の電源平滑コンデンサＣ３に加えて、低圧信号処理部用の電源平滑コンデンサＣ１を搭載した点である。
【００３６】
この第２の構成では、アドレスドライブ基板１０ｂの原価低減などの推進によるＴＣＰ（ＣＯＦ）化に対応できるが、電源平滑コンデンサＣ１をアドレスバス基板２０ｂに搭載したため、アドレスドライブ基板１０ｂにおいて、ＧＮＤラインに寄生インダクタンス（Ｌ）によりノイズが発生する。このノイズは、ＶＣＣ用の電源平滑コンデンサＣ２に印加され、このノイズ成分がＶＣＣ電圧に重畳され、アドレスドライバ回路１１のＩＣにＶＣＣとして供給されるので望ましくない。そこで、次に説明する本発明の一実施の形態の構成が考えられる。
【００３７】
＜本発明の一実施の形態の構成＞
図２は、本発明の一実施の形態の構成として、低圧信号処理部用の電源平滑コンデンサをアドレスバス基板に搭載し、ＧＮＤラインを２系統化して低圧電源用ＧＮＤライン上にインピーダンスを付加した場合のアドレスドライブシステムを示す説明図である。
【００３８】
図２において、アドレスドライブシステムは、前記第１，２の構成と同様に、複数（図では１枚のみ図示）のアドレスドライブ基板（ドライブ基板）１０と、アドレスバス基板（信号供給基板）２０とを有して構成される。異なる点は、アドレスドライブ基板１０−アドレスバス基板２０にＶＣＣ用ＧＮＤを新設してＧＮＤを２系統化（ＶＣＣ用／ＶＨ用）し、さらに、ＶＣＣ用ＧＮＤにおいて、アドレスバス基板２０に搭載のＶＣＣ用ＧＮＤ接続ポイントからＧＮＤが統合するポイントのＧＮＤライン上にインピーダンスを付加した点である。
【００３９】
アドレスドライブ基板１０は、フレキシブル基板からなり、このフレキシブル基板上に、アドレスドライバ回路（データドライバ回路）１１のＩＣチップが、前述したＴＣＰ（ＣＯＦ）タイプの実装形態で搭載されている。このアドレスドライバ回路１１は、表示データを信号処理する低圧信号処理部１２と、この低圧信号処理部１２の出力信号でＯＮ／ＯＦＦ制御されるトランジスタＱ１およびＱ２などから構成される。
【００４０】
このアドレスドライブ基板１０において、アドレスドライバ回路１１のＩＣチップとの接続は、このアドレスドライブ基板１０上の配線パターンを通じて電気的に接続される。ＶＨ用の接続端子はアドレスドライバ回路１１のトランジスタＱ１に接続され、また、ＶＣＣ用の接続端子は低圧信号処理部１２に、表示データ（Ｓｉｇ）用の接続端子は低圧信号処理部１２に、ＶＣＣグランド（ＶＣＣＧＮＤ）用の接続端子とＶＨグランド（ＶＨＧＮＤ）用の接続端子は合流して低圧信号処理部１２とトランジスタＱ２に、それぞれ接続されている。また、トランジスタＱ１とＱ２の接続点から表示パネルのアドレス電極（Ａ）に接続されている。
【００４１】
アドレスバス基板２０は、リジッド基板からなり、このリジッド基板上に、表示データのデータ発生源２１、このデータ発生源２１からの表示データを伝送する緩衝器２２、アドレスドライバ回路１１の低圧信号処理部１２用の電源平滑コンデンサＣ１、ＶＣＣ用の電源平滑コンデンサＣ２、ＶＨ用の電源平滑コンデンサＣ３がはんだ付けで搭載されている。
【００４２】
このアドレスバス基板２０において、各搭載部品との接続は、このアドレスバス基板２０上の配線パターンを通じて電気的に接続される。ＶＨ用の接続端子は電源平滑コンデンサＣ３に接続され、また、ＶＣＣ用の接続端子は緩衝器２２と電源平滑コンデンサＣ１とＣ２に、Ｓｉｇ用の接続端子は緩衝器２２に、ＶＣＣＧＮＤ用の接続端子はデータ発生源２１と緩衝器２２と電源平滑コンデンサＣ２とＣ３に、ＶＨＧＮＤ用の接続端子は電源平滑コンデンサＣ２とＣ３に、それぞれ接続されている。また、ＶＨ用の接続端子から高圧電源（ＶＨ）に、ＶＣＣ用の接続端子から低圧電源（ＶＣＣ）に、それぞれ接続されている。
【００４３】
このアドレスドライブシステムにおける動作は、アドレスバス基板２０において、データ発生源２１からの表示データを緩衝器２２で伝送し、アドレスドライブ基板１０のアドレスドライバ回路１１に供給する。アドレスドライバ回路１１においては、受け取った表示データを低圧信号処理部１２で信号処理し、トランジスタＱ１とＱ２のＯＮ／ＯＦＦを制御して、表示パネルのアドレス電極（Ａ）を充・放電する動作となる。
【００４４】
このアドレスドライブシステムでは、アドレスドライブ基板１０に搭載のアドレスドライバ回路１１の低圧信号処理部１２用の電源平滑コンデンサＣ１をアドレスバス基板２０に搭載し、ＶＣＣ用の電源ラインとそのリターンのＧＮＤラインにより寄生インピーダンスを発生する構成において、アドレスドライブ基板１０とアドレスバス基板２０とを接続するＧＮＤラインは、ＶＣＣ用のＧＮＤラインと表示パネルに供給するＶＨ用のＧＮＤラインとの２系統を備えている。
【００４５】
特に、２系統のＶＣＣ用のＧＮＤラインとＶＨ用のＧＮＤラインは、アドレスドライブ基板１０のアドレスドライバ回路１１の直近で分離され、アドレスバス基板２０側では、表示パネルの動作基準となる基準ＧＮＤ部（表示パネルを保持するシャーシ金属など）に接続する場所の直近で合流する構成とし、ＶＣＣ用のＧＮＤラインにおいて、電源平滑コンデンサＣ１の接続点からＶＨ用のＧＮＤラインと合流する点の間にインピーダンスを付加することを特徴とする。
【００４６】
この電源平滑コンデンサＣ１の接続点からＶＨ用のＧＮＤラインと合流する点の間のインピーダンスは、アドレスバス基板２０内の基板パターンを用いた寄生素子で構成する。あるいは、アドレスバス基板２０上に抵抗またはインダクタンスの回路素子をはんだ実装して構成する。一方、アドレスドライブ基板１０内でのＶＣＣ用のＧＮＤラインのインピーダンスは、基板パターンを用いた寄生素子で構成する。インピーダンスを基板パターンを用いて構成する場合には、この基板パターンを長くするなどしてインピーダンス成分量を大きくすることができる。
【００４７】
このアドレスドライブシステムにおいて、ＶＣＣ用のＧＮＤラインとＶＨ用のＧＮＤラインのインピーダンスは、以下のような関係となっている。
【００４８】
（１）ＶＣＣ用のＧＮＤラインのインピーダンス成分量は、ＶＨ用のＧＮＤラインのインピーダンス成分量より大きい。
【００４９】
（２）ＶＣＣ用のＧＮＤラインの電源平滑コンデンサＣ１の接続点からＶＨ用のＧＮＤラインと合流する点の間のインピーダンス成分量は、ＶＨ用のＧＮＤラインのアドレスバス基板２０でのインピーダンス成分量より大きい。
【００５０】
（３）ＶＣＣ用のＧＮＤラインの電源平滑コンデンサＣ１の接続点からＶＨ用のＧＮＤラインと合流する点の間のインピーダンス成分量は、ＶＣＣ用のＧＮＤラインにおけるアドレスドライブ基板１０のアドレスドライバ回路１１の直近で分離された点から、アドレスバス基板２０側の電源平滑コンデンサＣ１の接続点までのインピーダンス成分量と同等以上である。
【００５１】
（４）ＶＣＣ用のＧＮＤラインの電源平滑コンデンサＣ１の接続点からＶＨ用のＧＮＤラインと合流する点の間のインピーダンス成分量は、ＶＨ用のＧＮＤラインのアドレスバス基板２０でのインピーダンス成分量より大きく、かつ、ＶＣＣ用のＧＮＤラインにおけるアドレスドライブ基板１０のアドレスドライバ回路１１の直近で分離された点から、アドレスバス基板２０側の電源平滑コンデンサＣ１の接続点までのインピーダンス成分量と同等以上である。
【００５２】
以上のような本実施の形態の構成により、（１）アドレス電極（Ａ）の容量を介して流れる充・放電電流（Ｉ）は、インピーダンスの低いＨＶ用のＧＮＤラインを流れ、ＶＣＣ用のＧＮＤラインには流れない。（２）ＨＶ用のＧＮＤラインの寄生インダクタンスにより、ノイズが発生する。このノイズは、ＶＣＣ用のＧＮＤラインのアドレスドライブ基板１０側の寄生インダクタンス成分とアドレスバス基板２０側の付加インピーダンスとで分圧されてＶＣＣ用の電源平滑コンデンサＣ２に印加され、このノイズ成分がＶＣＣ電圧に重畳され、アドレスドライバ回路１１のＶＣＣとして供給される。（３）アドレスドライバ回路１１のＶＣＣ−ＧＮＤ間の印加ノイズは、上記（１）（２）により相殺方向で抑圧される。（４）よって、ＧＮＤを２系統化してＶＣＣ用ＧＮＤライン上にインピーダンスを付加することで、アドレスドライブ基板１０からアドレスバス基板２０に電源平滑コンデンサＣ１を移設しても、ＶＣＣ印加ノイズが増加しないようにすることができる。
【００５３】
従って、本実施の形態によれば、以下のような効果を得ることができる。
【００５４】
（１）付加するインピーダンスは、ＧＮＤラインの延長で寄生インダクタンスを構成すれば実現でき、かつ、ＧＮＤラインのアドレスドライブ基板１０−アドレスバス基板２０間の接続端子数も増加させる必要がないため、インピーダンスの付加を安価に実現することができる。
【００５５】
（２）アドレスドライブ基板１０上の部品を削除できるため、アドレスドライブ基板１０の作業工程を削減できる。更に、ＴＣＰ（ＣＯＦ）化を容易に実現することができる。
【００５６】
（３）部品・接続構成が不変のため、設計・製造・設備の変更が最小限となり、経済的に優位なアドレスドライブシステムを構成することができる。
【００５７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００５８】
本発明は、プラズマディスプレイ装置の技術に関し、特に、その表示パネルのアドレス電極を駆動するためのアドレスドライブシステムの回路構成に利用可能である。
【図面の簡単な説明】
【００５９】
【図１】本発明の一実施の形態におけるプラズマディスプレイ装置の表示パネルの電極及び表示パネルを表示動作させるための駆動用回路における主要部構成を示すブロック図である。
【図２】本発明の一実施の形態の構成における、アドレスドライブシステムを示す説明図である。
【図３】本発明に対する比較のための第１の構成における、アドレスドライブシステムを示す説明図である。
【図４】本発明に対する比較のための第２の構成における、アドレスドライブシステムを示す説明図である。
【符号の説明】
【００６０】
１０，１０ａ，１０ｂ…アドレスドライブ基板、１１…アドレスドライバ回路、１２…低圧信号処理部、２０，２０ａ，２０ｂ…アドレスバス基板、２１…データ発生源、２２…緩衝器、１０１…前面ガラス基板、１０２…背面ガラス基板、１０３…表示セル、１１１…アドレスドライバ回路、１１２…走査ドライバ回路、１１３…Ｙ共通ドライバ回路、１１４…Ｘ共通ドライバ回路、１１５…制御回路、１１６…表示データ制御部、１１７…走査ドライバ制御部、１１８…共通ドライバ制御部、１１９…フレームメモリ。
【図１】
2008032946.tif 000003
【図２】
2008032946.tif 000004
【図３】
2008032946.tif 000005
【図４】
2008032946.tif 000006